(57)【要約】【課題】光源の種類や所望の設定に応じた配線を実現できるリモコン装置を提供する。【解決手段】入眠モード又は覚醒モードのいずれかを光源毎に選択できる選択スイッチＳＷ１２と、同時又は所定時間の経過後から入眠モードを開始させる入眠モードスイッチＳＷ１３と、所定の時刻から覚醒モードを開始させる覚醒モードスイッチＳＷ１４と、光源の照度を徐々に低下又は増加させる調光設定について有効とするか否かを光源毎に選択できる切換スイッチＳＷ１５とを具備し、切換スイッチＳＷ１５が調光設定を有効として選択スイッチＳＷ１２を入眠モードとした光源については、入眠モードスイッチＳＷ１３の入操作と同時又は入操作から所定時間の経過後に入眠モードを開始し、切換スイッチＳＷ１５が調光設定を有効として選択スイッチＳＷ１２を覚醒モードとした光源については、覚醒モードスイッチＳＷ１４の入操作によって所定の時刻から覚醒モードを開始する。【選択図】図２
2011253792.tif 000002
【特許請求の範囲】
【請求項１】
複数の光源を制御するリモコン装置において、
光源の照度を徐々に低下させる入眠モード又は光源の照度を徐々に増加させる覚醒モードのいずれかを光源毎に選択できる選択スイッチと、
同時又は所定時間の経過後から入眠モードを開始させる入眠モードスイッチと、
所定の時刻から覚醒モードを開始させる覚醒モードスイッチと、
光源の照度を徐々に低下又は増加させる調光設定について有効とするか否かを光源毎に選択できる切換スイッチと、を具備し、
前記切換スイッチが調光設定を有効として前記選択スイッチを入眠モードとした光源については、前記入眠モードスイッチの入操作と同時又は入操作から所定時間の経過後に入眠モードを開始し、
前記切換スイッチが調光設定を有効として前記選択スイッチを覚醒モードとした光源については、前記覚醒モードスイッチの入操作によって所定の時刻から覚醒モードを開始する、としたことを特徴とするリモコン装置。
【請求項２】
前記選択スイッチは、光源の照度を徐々に低下させる入眠モード又は光源の照度を徐々に増加させる覚醒モードのいずれか若しくは両方を光源毎に選択でき、
前記切換スイッチが調光設定を有効として前記選択スイッチを入眠モードと覚醒モードの両方とした光源については、前記入眠モードスイッチの入操作と同時又は入操作から所定時間の経過後に入眠モードを開始し、前記覚醒モードスイッチの入操作によって所定の時刻から覚醒モードを開始する、としたことを特徴とする請求項１に記載のリモコン装置。
【請求項３】
前記切換スイッチが調光設定を無効とした光源については、前記選択スイッチによる入眠モードや覚醒モードの選択を無効とする、としたことを特徴とする請求項１または請求項２に記載のリモコン装置。
【発明の詳細な説明】
【技術分野】
【０００１】
本発明は、照明機器のリモコン装置の技術に関する。
【背景技術】
【０００２】
従来より、室内に設けられた光源の照度を徐々に低下させることによって、快適に眠りに導く照明機器が公知となっている（例えば特許文献１参照。）。また、起床予定時刻よりも前から光源の照度を徐々に増加させることによって、快適に目覚めに導く照明機器も公知となっている（例えば特許文献２参照。）。
【０００３】
このような照明機器は、調光装置を用いて電圧を調節し、光源の照度を変更させるものであるため、例えば電圧を調節すると放電不良が生じるとして照度を変更させることができない仕様の蛍光灯については、調光制御の対象とすることができない。そのため、このような照明機器を施工する際には、照度を変更させることができる光源と、照度を変更させることができない光源と、を明確に把握して間違いなく配線を行なう必要があった。更に、このような照明機器を施工する際には、照度を徐々に低下させる光源と、照度を徐々に増加させる光源と、を明確に把握して間違いなく配線を行なう必要もあった。
【０００４】
しかし、照度を変更させることができる光源と、照度を変更させることができない光源と、が混在する場合においては、全ての光源の種類を把握して間違いなく配線することは困難である。また、照度を徐々に低下させる光源と、照度を徐々に増加させる光源と、が混在する場合においても、全ての光源の設定を把握して間違いなく配線することは困難である。特に、複数の光源を一のリモコン装置によって集中制御する場合においては、誤配線が生じる可能性が高くなるという問題点があった。更に、室内に設けられた光源は、ユーザーによって種類が変更される場合もあり、施工時の設定を簡単に変更したいとの要望もあった。
【先行技術文献】
【特許文献】
【０００５】
【特許文献１】特開２００２−２００１７１号公報
【特許文献２】特許第３７６７３１９号公報
【発明の概要】
【発明が解決しようとする課題】
【０００６】
本発明はかかる問題を解決すべくなされたものであり、光源毎に調光設定について有効とするか否かを切換可能とするとともに、光源毎に入眠モードと覚醒モードとを選択可能とすることで、光源の種類や所望の設定に応じた配線を実現できるリモコン装置を提供することを目的としている。
【課題を解決するための手段】
【０００７】
本発明の解決しようとする課題は以上の如くであり、次にこの課題を解決するための手段を説明する。
【０００８】
即ち、請求項１においては、複数の光源を制御するリモコン装置において、
光源の照度を徐々に低下させる入眠モード又は光源の照度を徐々に増加させる覚醒モードのいずれかを光源毎に選択できる選択スイッチと、
同時又は所定時間の経過後から入眠モードを開始させる入眠モードスイッチと、
所定の時刻から覚醒モードを開始させる覚醒モードスイッチと、
光源の照度を徐々に低下又は増加させる調光設定について有効とするか否かを光源毎に選択できる切換スイッチと、を具備し、
前記切換スイッチが調光設定を有効として前記選択スイッチを入眠モードとした光源については、前記入眠モードスイッチの入操作と同時又は入操作から所定時間の経過後に入眠モードを開始し、
前記切換スイッチが調光設定を有効として前記選択スイッチを覚醒モードとした光源については、前記覚醒モードスイッチの入操作によって所定の時刻から覚醒モードを開始する、としたものである。
【０００９】
請求項２においては、請求項１に記載のリモコン装置において、前記選択スイッチは、光源の照度を徐々に低下させる入眠モード又は光源の照度を徐々に増加させる覚醒モードのいずれか若しくは両方を光源毎に選択でき、
前記切換スイッチが調光設定を有効として前記選択スイッチを入眠モードと覚醒モードの両方とした光源については、前記入眠モードスイッチの入操作と同時又は入操作から所定時間の経過後に入眠モードを開始し、前記覚醒モードスイッチの入操作によって所定の時刻から覚醒モードを開始する、としたものである。
【００１０】
請求項３においては、請求項１又は請求項２に記載のリモコン装置において、前記切換スイッチが調光設定を無効とした光源については、前記選択スイッチによる入眠モードや覚醒モードの選択を無効とする、としたものである。
【発明の効果】
【００１１】
本発明の効果として、以下に示すような効果を奏する。
【００１２】
請求項１に記載の発明によれば、光源毎に調光設定について有効とするか否かを切換可能とすることで、光源の種類に応じた配線を実現することができる。また、光源毎に入眠モードとするか、覚醒モードとするかを選択可能とすることで、所望の設定に応じた配線を実現することができる。これにより、誤配線を防ぐことができるとともに、施工時の設定を簡単に変更することが可能となる。
【００１３】
請求項２に記載の発明によれば、照度を変更させることができる所定の光源において、光源の照度を低下させる入眠モードとするか、光源の照度を増加させる覚醒モードとするかを選択できるとともに、入眠モードと覚醒モードの両方を選択することもできる。これにより、施工時の設定を簡単に変更することが可能となる。
【００１４】
請求項３に記載の発明によれば、照度を変更させることができない所定の光源において、光源の照度を変更させる入眠モードや覚醒モードの選択を無効とすることができる。これにより、誤配線を防ぐことが可能となる。
【図面の簡単な説明】
【００１５】
【図１】リモコン装置１００の構成を示すブロック図。
【図２】リモコン装置１００の外観を示す図。
【図３】各光源５１・５２・５３の照度変化を示す一の図。
【図４】各光源５１・５２・５３の照度変化を示す他の図。
【図５】リモコン装置１００の外観を示す一の図。
【図６】リモコン装置１００の外観を示す他の図。
【図７】入眠モードと覚醒モードの選択状況の表示を示す図。
【発明を実施するための形態】
【００１６】
図１、図２を用いて本発明の一実施形態に係るリモコン装置１００について説明する。図１は、リモコン装置１００の構成を示すブロック図であり、図２は、該リモコン装置１００の外観を示す図である。なお、リモコン装置１００と接続された光源５１・５２・５３は、照度を変更させることができるＬＥＤ灯や白熱灯であるとして説明を行なう。
【００１７】
図１、図２に示すように、本実施形態に係るリモコン装置１００は、主に各スイッチＳＷ１１・・・と、インターフェイス部２と、制御部３と、各回路部ＣＲ４１・・・と、で構成されている。
【００１８】
入切スイッチＳＷ１１は、リモコン装置１００に電気的に接続された光源５１・５２・５３を点灯又は消灯させるものである。本実施形態において入切スイッチＳＷ１１は、ユーザーが入状態と切状態とを自在に変更できる。
【００１９】
選択スイッチＳＷ１２は、光源５１・５２・５３の照度を徐々に低下させる入眠モードとするか、光源５１・５２・５３の照度を徐々に増加させる覚醒モードとするか、を選択するものである。本実施形態において選択スイッチＳＷ１２は、ユーザーが入眠モードと覚醒モードとを自在に変更できる。
【００２０】
なお、本実施形態に係るリモコン装置１００は、三つの選択スイッチＳＷ１２ａ、ＳＷ１２ｂ、ＳＷ１２ｃを備えており、光源５１・５２・５３毎にそれぞれ異なる設定を可能としている。例えば光源５１に対応する選択スイッチＳＷ１２ａは入眠モードとし、光源５２に対応する選択スイッチＳＷ１２ｂは覚醒モードとできる。
【００２１】
入眠モードスイッチＳＷ１３は、所定時間の経過後から入眠モードを開始させるものである。本実施形態において入眠モードスイッチＳＷ１３は、ユーザーが入状態と切状態とを自在に変更できる。
【００２２】
覚醒モードスイッチＳＷ１４は、所定の時刻から覚醒モードを開始させるものである。本実施形態において覚醒モードスイッチＳＷ１４は、ユーザーが入状態と切状態とを自在に変更できる。
【００２３】
切換スイッチＳＷ１５は、光源５１・５２・５３の照度を徐々に低下又は増加させる調光設定について有効とするか否かを選択するものである。具体的には、入切スイッチＳＷ１１によって光源５１・５２・５３を点消灯させる入切設定とするか、入切スイッチＳＷ１１による点消灯に加えて入眠モードスイッチＳＷ１３や覚醒モードスイッチＳＷ１４によって光源５１・５２・５３の照度を変更させる調光設定とするか、を選択するものである。本実施形態において切換スイッチＳＷ１５は、ユーザーが入切設定と調光設定とを自在に変更できる。
【００２４】
なお、本実施形態に係るリモコン装置１００は、三つの切換スイッチＳＷ１５ａ、ＳＷ１５ｂ、ＳＷ１５ｃを備えており、光源５１・５２・５３毎にそれぞれ異なる設定を可能としている。例えば光源５１に対応する切換スイッチＳＷ１５ａは調光設定とし、光源５２に対応する切換スイッチＳＷ１５ｂは入切設定とできる。
【００２５】
インターフェイス部２は、入切スイッチＳＷ１１等の各スイッチＳＷ１１・・・と制御部３とを接続するものである。インターフェイス部２は、各スイッチＳＷ１１・・・を操作することによって示されたユーザーの意思を制御部３に入力する。
【００２６】
制御部３は、ＣＰＵ（Ｃｅｎｔｒａｌ  Ｐｒｏｃｅｓｓｉｎｇ  Ｕｎｉｔ；中央演算処理装置）３１やＲＡＭ（Ｒａｎｄｏｍ  Ａｃｃｅｓｓ  Ｍｅｍｏｒｙ；ランダムアクセスメモリ）３２、ＲＯＭ（Ｒｅａｄ−Ｏｎｌｙ  Ｍｅｍｏｒｙ；読み出し専用メモリ）３３等から構成される。ＣＰＵ３１は、ＲＯＭ３３に記憶された各種の制御プログラムに従って一連の演算処理を行ない、各回路部ＣＲ４１・・・へ制御信号を送信する。また、ＣＰＵ３１は、計時機能部３１Ｔを備えており、これによってタイマー機能を実現している。なお、ＲＡＭ３２は、ＣＰＵ３１の演算結果を一時的に記憶するものである。
【００２７】
各回路部ＣＲ４１・・・は、ＣＰＵ３１からの制御信号に基づいて光源５１・５２・５３を点灯又は消灯させるとともに、該光源５１・５２・５３の照度を変更可能とするものである。各回路部ＣＲ４１・・・には、調光装置が組み込まれており、該調光装置によって光源５１・５２・５３の照度が変更される。調光装置は、ＳＣＲ（Ｓｉｌｉｃｏｎ  ｃｏｎｔｒｏｌｌｅｄ  ｒｅｃｔｉｆｉｅｒ；サイリスタ）等の電力制御素子を用いて位相制御回路を構成しており、いわゆるトリガ電流のタイミングを変更することによって平均電圧の調節を行なう。これにより、各回路部ＣＲ４１・・・は、光源５１・５２・５３の照度を変更するのである。
【００２８】
以上がリモコン装置１００の構成であるが、以下に入眠モードならびに覚醒モードについて詳細に説明する。図３は、各光源５１・５２・５３の照度変化を示す図である。
【００２９】
入眠モードとは、所定時間の経過後から光源の照度を徐々に低下させることによって、快適に眠りに導く調光制御機能をいう。一例として光源５１が入眠モードに設定されている場合を想定すると、光源５１の照度は、時刻ｔ１から徐々に低下を初めて時刻ｔ２で消灯される（図３（ａ）参照。）。
【００３０】
具体的に説明すると、リモコン装置１００のＣＰＵ３１は、入眠モードスイッチＳＷ１３が入状態となったとき（時刻ｔ０）から所定時間の経過後（時刻ｔ１）に回路部ＣＲ４１へ制御信号を送信する。すると、回路部ＣＲ４１は、ＣＰＵ３１からの制御信号に応じてトリガ電流のタイミングを変更し、平均電圧の調節を行なう。これにより、光源５１は、徐々に照度が低下していき、時刻ｔ２において完全に消灯するのである。なお、本実施形態に係るリモコン装置１００においては、時刻ｔ２で完全に消灯するのではなく、例えば１０パーセント程度の微小な照度を維持するとした選択も可能である。また、本リモコン装置１００においては、入眠モードスイッチＳＷ１３の入操作（時刻ｔ０）から所定時間の経過後（時刻ｔ１）に光源５１の照度を低下させるとしているが、入眠モードスイッチＳＷ１３の入操作（時刻ｔ０）と同時に照度を低下させるとした選択も可能である。
【００３１】
覚醒モードとは、所定の時刻から光源の照度を徐々に増加させることによって、快適に目覚めに導く調光制御機能をいう。一例として光源５２が覚醒モードに設定されている場合を想定すると、光源５２の照度は、時刻ｔ３から徐々に増加を初めて時刻ｔ４で所定の照度となる（図３（ｂ）参照。）。
【００３２】
具体的に説明すると、リモコン装置１００のＣＰＵ３１は、予め設定された時刻ｔ３に回路部ＣＲ４２へ制御信号を送信する。すると、回路部ＣＲ４２は、ＣＰＵ３１からの制御信号に応じてトリガ電流のタイミングを変更し、平均電圧の調節を行なう。これにより、光源５２は、時刻ｔ３から徐々に照度が増加していき、時刻ｔ４において完全に点灯するのである。
【００３３】
このように、リモコン装置１００は、照度を徐々に低下させることによってユーザーを快適に眠りに導くことができるとともに、照度を徐々に増加させることによってユーザーを快適に目覚めに導くことを可能としている。
【００３４】
しかし、例えば光源５３が照度を変更させることができない仕様の蛍光灯であった場合は、該光源５３を調光制御することは許されない。このような蛍光灯は、電圧を調節すると放電不良を生じるために照度を変更することができず、電圧の調節によって故障が発生する場合もあるためである。従って、光源５３が照度を変更させることができない仕様の蛍光灯である場合、該光源５３は点消灯のみが許容される（図３（ｃ）参照。）。
【００３５】
そのため、本実施形態に係るリモコン装置１００においては、光源５１・５２・５３毎に調光設定について有効とするか否かを自在に変更できる切換スイッチＳＷ１５を設けたところに技術的な特徴がある。なお、切換スイッチＳＷ１５の操作は、例えば照明機器の施工時や光源の種類を変更した際に適宜に行なうのみで良い。
【００３６】
以下にリモコン装置１００の操作方法について詳細に説明する。ここでは、光源５１と光源５２が照度を変更させることができるＬＥＤ灯や白熱灯であり、光源５３が照度を変更させることができない仕様の蛍光灯であるとして説明を行なう。
【００３７】
まず、切換スイッチＳＷ１５の設定について説明する。
【００３８】
光源５１は、照度を変更させることが可能であるため、該光源５１に対応する切換スイッチＳＷ１５ａは、入切設定又は調光設定のいずれにも設定することが可能である。しかし、本実施形態においては、光源５１を入眠モードとして調光制御をするために、切換スイッチＳＷ１５ａを調光設定としておく必要がある。
【００３９】
光源５２は、照度を変更させることが可能であるため、該光源５２に対応する切換スイッチＳＷ１５ｂは、入切設定又は調光設定のいずれにも設定することが可能である。しかし、本実施形態においては、光源５２を覚醒モードとして調光制御をするために、切換スイッチＳＷ１５ｂを調光設定としておく必要がある。
【００４０】
光源５３は、照度を変更させることが不可能であるため、該光源５３に対応する切換スイッチＳＷ１５ｃは、入切設定としておく必要がある。
【００４１】
このように、光源５１・５２・５３毎に入切設定とするか、調光設定とするかを切換可能とすることで、光源５１・５２・５３の種類に応じた配線を実現することができる。これにより、誤配線を防ぐことができるとともに、施工時の設定を簡単に変更することが可能となる。
【００４２】
次に、選択スイッチＳＷ１２の設定について説明する。
【００４３】
光源５１は、照度を変更させることが可能であるため、該光源５１に対応する選択スイッチＳＷ１２ａは、入眠モード又は覚醒モードのいずれにも設定することが可能である。しかし、本実施形態においては、光源５１を入眠モードとして調光制御をするために、選択スイッチＳＷ１２ａを入眠モードとしておく必要がある。
【００４４】
光源５２は、照度を変更させることが可能であるため、該光源５２に対応する選択スイッチＳＷ１２ｂは、入眠モード又は覚醒モードのいずれにも設定することが可能である。しかし、本実施形態においては、光源５２を覚醒モードとして調光制御をするために、選択スイッチＳＷ１２ｂを覚醒モードとしておく必要がある。
【００４５】
光源５３は、照度を変更させることが不可能であり、切換スイッチＳＷ１５ｃを入切設定としているため、該光源５３に対応する選択スイッチＳＷ１２ｃは、入眠モード又は覚醒モードのいずれに設定しても無効とされる。
【００４６】
このような構成により、照度を変更させることができる所定の光源において、光源の照度を低下させる入眠モードとするか、光源の照度を増加させる覚醒モードとするかを選択することが可能となる。また、照度を変更させることができない所定の光源において、光源の照度を変更させる入眠モードや覚醒モードの選択を無効とすることが可能となる。
【００４７】
なお、本実施形態に係るリモコン装置１００は、選択スイッチＳＷ１２によって入眠モードと覚醒モードのいずれかを選択するものとしているが、入眠モードと覚醒モードの両方を選択できるとしたものであっても良い。
【００４８】
例えば選択スイッチＳＷ１２ａならびに選択スイッチＳＷ１２ｂを入眠モードと覚醒モードの両方とした場合、光源５１と光源５２は、入眠モードスイッチＳＷ１３の入操作から所定時間の経過後に入眠モードが開始される。また、光源５１と光源５２は、覚醒モードスイッチＳＷ１４の入操作によって所定の時刻から覚醒モードが開始される（図４（ａ）、図４（ｂ）参照。）。
【００４９】
このような構成により、照度を変更させることができる所定の光源において、光源の照度を徐々に低下させる入眠モードとするか、光源の照度を徐々に増加させる覚醒モードとするかを選択できるとともに、入眠モードと覚醒モードの両方を選択することも可能となる。
【００５０】
次に、リモコン装置１００の別実施形態について説明する。
【００５１】
図５は、本実施形態に係るリモコン装置１００の外観を示す一の図であり、図６は、その外観を示す他の図である。なお、本リモコン装置１００と接続された光源５１・５２・５３は、照度を変更させることができるＬＥＤ灯や白熱灯であるとして説明を行なう。
【００５２】
本実施形態に係るリモコン装置１００は、光源５１・５２・５３毎に入切設定とするか、調光設定とするかを液晶画面６上で選択できるとともに、光源５１・５２・５３毎に入眠モードとするか、覚醒モードとするかも液晶画面６上で選択できる点で上述の実施形態に係るリモコン装置１００と異なる。但し、上述したリモコン装置１００と同一の構成については同一の符号を付し、異なる部分を中心に説明する。
【００５３】
本リモコン装置１００には、入切スイッチＳＷ１１や入眠モードスイッチＳＷ１３、覚醒モードスイッチＳＷ１４が備えられているが、選択スイッチＳＷ１２と切換スイッチＳＷ１５は備えられていない。しかし、メニュー選択ボタン７１、スクロールボタン７２及び決定ボタン７３が備えられて各種の操作を液晶画面６上で行なえるように構成している。
【００５４】
メニュー選択ボタン７１は、液晶画面６上に表示される画像を選択する際に押すものである。例えばメニュー選択ボタン７１を押すことによって、光源５１・５２・５３毎に入眠モードとするか、覚醒モードとするかを選択できる画像が表示される（図７参照。）。
【００５５】
スクロールボタン７２は、液晶画面６上に表示された複数の設定対象から所望の設定対象を選択する際に押すものである。例えばスクロールボタン７２を押すことによって、光源５１・５２・５３毎に入眠モードとするか、覚醒モードとするかを選択できる（図７参照。）。
【００５６】
決定ボタン７３は、設定対象を決定する際に押すものである。例えば決定ボタン７３を押すことによって、光源５１・５２・５３毎に入眠モードとするか、覚醒モードとするかが決定される（図７参照。）。
【００５７】
つまり、本実施形態に係るリモコン装置１００においては、メニュー選択ボタン７１、スクロールボタン７２及び決定ボタン７３を用いて液晶画面６上で操作を行なえるとしたことで、選択スイッチ１２や切換スイッチ１５を構成したといえる。
【００５８】
ここで、本リモコン装置１００における入眠モード又は覚醒モードの選択方法について具体的に説明すると、図７に示すように、液晶画面６上に表示された「月」をスクロールボタン７２によって選択して決定ボタン７３を押すことで入眠モードが設定される。また、液晶画面６上に表示された「太陽」をスクロールボタン７２によって選択して決定ボタン７３を押すことで覚醒モードが設定される。そして、液晶画面６上に表示された「月」と「太陽」を共にスクロールボタン７２によって選択して決定ボタン７３を押すことで入眠モードと覚醒モードの両方が設定される。
【００５９】
そして、本リモコン装置１００は、該リモコン装置１００に回動自在に設けられたカバー８が閉じられることによって、誤操作等を防止することができるのである（図６参照。）。
【符号の説明】
【００６０】
１００      リモコン装置
２          インターフェイス部
３          制御部
３１        ＣＰＵ
３１Ｔ      計時機能部
３２        ＲＡＭ
３３        ＲＯＭ
５１        光源
５２        光源
５３        光源
ＳＷ１１    入切スイッチ
ＳＷ１２    選択スイッチ
ＳＷ１３    入眠モードスイッチ
ＳＷ１４    覚醒モードスイッチ
ＳＷ１５    切換スイッチ
ＣＲ４１    回路部
ＣＲ４２    回路部
ＣＲ４３    回路部
【図１】
2011253792.tif 000003
【図２】
2011253792.tif 000004
【図３】
2011253792.tif 000005
【図４】
2011253792.tif 000006
【図５】
2011253792.tif 000007
【図６】
2011253792.tif 000008
【図７】
2011253792.tif 000009